(57)【要約】【課題】安定して眼圧の測定が行える眼科装置を得る。【解決手段】マイクロエアーポンプ１０２と、該ポンプによって内部が加圧され、予め定めた設定圧力とされるポンプ室１０１と、可変バルブ装置１１０を介してポンプ室１０１とつながったチャンバー室１２０と、チャンバー室１２０とつながり、被検眼に空気を吹き付けるためのノズル１２１と、ポンプ室１０１の圧力を測定する圧力センサ１３１と、チャンバー室の圧力を測定する圧力センサ１３２と、ノズル１２１から噴出する空気による被検眼の変形に基づき、前記被検眼の眼圧を算出する眼圧算出部と、予め決められた圧力センサ１３２の出力波形と被検眼の眼圧測定時における圧力センサ１３２の出力波形とを比較する比較部と、比較の結果に基づき、前記ポンプ室１０１の設定圧力を変更および可変バルブ装置１１０の動作条件の設定の変更の一方または両方を行う設定変更部とを備える眼科装置１００。【選択図】図１
2018143532.tif 000002
【特許請求の範囲】
【請求項１】
被検眼の眼圧を測定する眼科装置であって、
ポンプと、
前記ポンプによって内部が加圧され、予め定めた設定圧力とされる第１の空気室と、
可変バルブを介して前記第１の空気室とつながった第２の空気室と、
前記第２の空気室とつながり、被検眼に空気を吹き付けるためのノズルと、
前記第１の空気室の圧力を測定する第１の圧力センサと、
前記第２の空気室の圧力を測定する第２の圧力センサと、
前記ノズルから噴出する空気による被検眼の変形に基づき、前記被検眼の眼圧を算出する眼圧算出部と、
予め決められた前記第２の圧力センサの出力波形と被検眼の眼圧測定時における前記第２の圧力センサの出力波形とを比較する比較部と、
前記比較の結果に基づき、前記第１の空気室の設定圧力を変更および前記可変バルブの動作条件の設定の変更の一方または両方を行う設定変更部と
を備える眼科装置。
【請求項２】
前記比較が前記第２の圧力センサの出力波形のピークの値、ピークの時間軸上における位置、立ち上がりの傾きの少なくとも一つについて行われる請求項１に記載の眼科装置。
【請求項３】
前記予め決められた前記第２の圧力センサの前記出力波形と、被検眼の眼圧測定時における前記第２の圧力センサの前記出力波形との差異が特定の範囲を超える場合に、前記第１の空気室の設定圧力の変更および前記可変バルブの動作条件の設定の変更の一方または両方が行われる請求項１または２に記載の眼科装置。
【請求項４】
被検眼の眼圧測定時における前記第２の圧力センサの前記出力波形のピークの時間軸上における位置と、前記予め決められた前記第２の圧力センサの前記出力波形のピークの時間軸上における位置との差の是正は、前記可変バルブの動作条件の設定の変更で対応し、
被検眼の眼圧測定時における前記第２の圧力センサの前記出力波形のピークの値と、前記予め決められた前記第２の圧力センサの前記出力波形のピークの値との差の是正は、前記第１の空気室の設定圧力の変更で対応する請求項１〜３のいずれか一項に記載の眼科装置。
【請求項５】
被検眼の眼圧を測定する眼科装置であって、
ポンプと、
前記ポンプによって内部が加圧され、予め定めた設定圧力とされる第１の空気室と、
可変バルブを介して前記第１の空気室とつながった第２の空気室と、
前記第２の空気室とつながり、被検眼に空気を吹き付けるためのノズルと、
前記第１の空気室の圧力を測定する第１の圧力センサと、
前記第２の空気室の圧力を測定する第２の圧力センサと、
被検眼に測定光を照射する測定光照射部と、
前記被検眼から反射される前記測定光を検出し、検出信号を出力する検出部と、
前記検出信号に基づき、前記被検眼の眼圧を算出する眼圧算出部と、
前記検出信号の波形の対称性に基づき、前記第１の空気室の設定圧力の変更および前記可変バルブの動作条件の設定の変更の一方または両方を行う設定変更部と
を備える眼科装置。
【請求項６】
前記設定変更部は、前記可変バルブを開とした後の特定の時間経過後に前記第１の空気室の圧力が前記予め定めた前記設定圧力となるように前記ポンプの設定の変更を行う請求項１〜５のいずれか一項に記載の眼科装置。
【発明の詳細な説明】
【技術分野】
【０００１】
本発明は、眼圧を測定する眼科装置に関する。
【背景技術】
【０００２】
眼球に空気を吹き付け、その際の眼球の変形を光学的に計測することで眼圧の測定を行う非接触型の眼科装置が知られている（例えば、特許文献１を参照）。
【先行技術文献】
【特許文献】
【０００３】
【特許文献１】特開２００８−２３７５１６号公報
【発明の概要】
【発明が解決しようとする課題】
【０００４】
この方式では、予め定めた条件で被検眼に空気圧を加えることが重要となる。しかしながら、圧力を加える機構は、経時変化による性能の変化が生じ易い。また、高地での使用や大気圧の変化の影響を受ける問題がある。このような背景において、本発明は、安定して眼圧の測定が行える眼科装置の提供を目的とする。
【課題を解決するための手段】
【０００５】
請求項１に記載の発明は、被検眼の眼圧を測定する眼科装置であって、ポンプと、前記ポンプによって内部が加圧され、予め定めた設定圧力とされる第１の空気室と、可変バルブを介して前記第１の空気室とつながった第２の空気室と、前記第２の空気室とつながり、被検眼に空気を吹き付けるためのノズルと、前記第１の空気室の圧力を測定する第１の圧力センサと、前記第２の空気室の圧力を測定する第２の圧力センサと、前記ノズルから噴出する空気による被検眼の変形に基づき、前記被検眼の眼圧を算出する眼圧算出部と、予め決められた前記第２の圧力センサの出力波形と被検眼の眼圧測定時における前記第２の圧力センサの出力波形とを比較する比較部と、前記比較の結果に基づき、前記第１の空気室の設定圧力を変更および前記可変バルブの動作条件の設定の変更の一方または両方を行う設定変更部とを備える眼科装置である。
【０００６】
請求項２に記載の発明は、請求項１に記載の発明において、前記比較が前記第２の圧力センサの出力波形のピークの値、ピークの時間軸上における位置、立ち上がりの傾きの少なくとも一つについて行われることを特徴とする。
【０００７】
請求項３に記載の発明は、請求項１または２に記載の発明において、前記予め決められた前記第２の圧力センサの前記出力波形と、被検眼の眼圧測定時における前記第２の圧力センサの前記出力波形との差異が特定の範囲を超える場合に、前記第１の空気室の設定圧力の変更および前記可変バルブの動作条件の設定の変更の一方または両方が行われることを特徴とする。
【０００８】
請求項４に記載の発明は、請求項１〜３のいずれか一項に記載の発明において、被検眼の眼圧測定時における前記第２の圧力センサの前記出力波形のピークの時間軸上における位置と、前記予め決められた前記第２の圧力センサの前記出力波形のピークの時間軸上における位置との差の是正は、前記可変バルブの動作条件の設定の変更で対応し、被検眼の眼圧測定時における前記第２の圧力センサの前記出力波形のピークの値と、前記予め決められた前記第２の圧力センサの前記出力波形のピークの値との差の是正は、前記第１の空気室の設定圧力の変更で対応することを特徴とする。
【０００９】
請求項５に記載の発明は、被検眼の眼圧を測定する眼科装置であって、ポンプと、前記ポンプによって内部が加圧され、予め定めた設定圧力とされる第１の空気室と、可変バルブを介して前記第１の空気室とつながった第２の空気室と、前記第２の空気室とつながり、被検眼に空気を吹き付けるためのノズルと、前記第１の空気室の圧力を測定する第１の圧力センサと、前記第２の空気室の圧力を測定する第２の圧力センサと、被検眼に測定光を照射する測定光照射部と、前記被検眼から反射される前記測定光を検出し、検出信号を出力する検出部と、前記検出信号に基づき、前記被検眼の眼圧を算出する眼圧算出部と、前記検出信号の波形の対称性に基づき、前記第１の空気室の設定圧力の変更および前記可変バルブの動作条件の設定の変更の一方または両方を行う設定変更部とを備える眼科装置である。
【００１０】
請求項６に記載の発明は、請求項１〜５のいずれか一項に記載の発明において、前記設定変更部は、前記可変バルブを開とした後の特定の時間経過後に前記第１の空気室の圧力が前記予め定めた前記設定圧力となるように前記ポンプの設定の変更を行うことを特徴とする。
【発明の効果】
【００１１】
本発明によれば、安定して眼圧の測定が行える眼科装置が得られる。
【図面の簡単な説明】
【００１２】
【図１】実施形態の眼科装置の概念図である。
【図２】可変バルブの固定弁の正面図（Ａ）と可変弁の正面図（Ｂ）である。
【図３】圧平信号を得る光学系の概念図である。
【図４】制御系のブロック図である。
【図５】眼圧の測定値を得る原理を示す原理図である。
【図６】処理の手順の一例を示すフローチャートである。
【図７】処理の手順の一例を示すフローチャートである。
【図８】処理の手順の一例を示すフローチャートである。
【図９】処理の手順の一例を示すフローチャートである。
【発明を実施するための形態】
【００１３】
（全体構成）
図１には、眼科装置１００が示されている。眼科装置１００は、眼球の内圧（以下眼圧）を測定する。眼圧の測定は、例えば緑内障の診断に利用される。
【００１４】
眼科装置１００は、マイクロエアーポンプ１０２と、該ポンプによって内部が加圧され、予め定めた設定圧力とされるポンプ室１０１と、可変バルブ装置１１０を介してポンプ室１０１とつながったチャンバー室１２０と、チャンバー室１２０とつながり、被検眼に空気を吹き付けるためのノズル１２１と、ポンプ室１０１の圧力を測定する圧力センサ１３１と、チャンバー室の圧力を測定する圧力センサ１３２と、ノズル１２１から噴出する空気による被検眼の変形に基づき、前記被検眼の眼圧を算出する眼圧算出部４０９（図２参照）と、予め決められた圧力センサ１３２の出力波形と被検眼の眼圧測定時における圧力センサ１３２の出力波形とを比較する比較判定部４１０と、比較判定部４１０における比較の結果に基づき、ポンプ室１０１の設定圧力を変更および可変バルブ装置１１０の動作条件の設定の変更の一方または両方を行う設定変更部４１１とを備える。
【００１５】
眼科装置１００は、気密性を有したポンプ室１０１を備えている。ポンプ室１０１には、ポンプ室の圧力を高めるためのマイクロエアーポンプ１０２が接続されている。また、ポンプ室１０１は、流路１０３につながっている。
【００１６】
ポンプ室１０１と流路１０３との間には、可変バルブ装置１１０が配置されている。可変バルブ装置１１０によって、ポンプ室１０１と流路１０３との間の連通の状態が調整される。可変バルブ装置１１０は、固定弁１１１と回転弁１１２を有している。固定弁１１１の正面図を図２（Ａ）に、回転弁１１２の正面図を図２（Ｂ）に示す。
【００１７】
固定弁１１１は、ポンプ室１０１の筐体１０１ａに固定されている。固定弁１１１に摺動可能な状態で接触して回転弁１１２が配置されている。固定弁１１１には開口１１１ａが設けられ、回転弁１１２には開口１１２ａが設けられている。固定弁１１１に対して回転弁１１２が回転することで、開口１１１ａと開口１１２ａとが重なる面積が変化し、バルブとしての通気量（コンダクタンス）が調整される。また、開口１１１ａと開口１１２ａとが重ならないようすることで、可変バルブ装置１１０が閉鎖の状態となる。
【００１８】
回転弁１１２は、モータ１１３によって駆動され回転する。モータ１１３の回転軸には、ピ二オンギア１１４が固定され、ピ二オンギア１１４は、ギア１１５に噛合っている。ギア１１５の回転中心にはシャフト１１６が固定され、シャフト１１６は回転弁１１２の回転中心に固定されている。モータ１１３が回転すると、ピ二オンギア１１４→ギア１１５→シャフト１１６と駆動力が伝わり、回転弁１１２が回転する。
【００１９】
流路１０３の先には、チャンバー室１２０が設けられている。チャンバー室１２０には細長い円筒形状のノズル１２１が接続されている。ノズル１２１は、ガラス等の光透過性の部材１２４を介して眼科装置１００の筐体に固定されている。また、チャンバー室１２０には、板状の光学フィルタ１２２を介して、眼球の形状変化を光学的に検出した信号である圧平信号を出力する光学系１２３が接続されている。
【００２０】
ポンプ室１０１には、ポンプ室１０１内部の圧力を測定する圧力センサ１３１が配置され、チャンバー室１２０には、チャンバー室１２０内部の圧力を測定する圧力センサ１３２が配置されている。
【００２１】
（光学系）
図３に図１の光学系１２３の構成を示す。光学系１２３は、測定光を発光する発光部１２５を備える。発光は、ＬＥＤ等の発光素子によって行われる。発光のタイミング等の制御は、図４の発光制御部４０２によって行われる。
【００２２】
発光波長としては、例えば見えない近赤外光７８０ｎｍ〜１０００ｎｍが用いられる。発光部１２５から出た測定光は、ハーフミラー１２６を透過して、光学フィルタ１２２に入射する。光学フィルタ１２２は、測定光の波長帯域を選択的に透過するバンドパスフィルタ特性を有する。光学フィルタ１２２は、受光部１２７で検出される被検眼からの反射光のＳ／Ｎ比を向上させるために配置されている。
【００２３】
発光部１２５から発せられた測定光は、ハーフミラー１２６で反射され、光学フィルタ１２２および光透過部材１２４を介して、被検眼に照射される（図１参照）。被検眼の眼球の表面で反射された測定光は、測定反射光としてハーフミラー１２６に戻り、そこを透過し、受光部１２７に至る。受光部１２７は、フォトダイオード等の光検出素子を有し、測定反射光はそこで電気信号（圧平信号）に変換される。受光部１２５から出力された圧平信号は、図４の圧平信号検出部４０３に送られる。
【００２４】
（制御系）
図４には、図１に示す眼科装置１００の制御系４００が示されている。制御系４００は、コンピュータとしての機能を有している。制御系４００は、専用または汎用の電子回路を用いて構成されている。なお、市販のＰＣ（パーソナル・コンピュータ）に図４に示す各機能を実行するソフトウェアをインストールし、当該ＰＣを用いて制御系４００を構成することもできる。
【００２５】
制御系４００は、処理動作制御部４０１、発光制御部４０２、圧平信号検出部４０３、ポンプ室内圧力検出部４０４、チャンバー室内圧力検出部４０５、可変バルブ制御部４０６、ポンプ制御部４０７、記憶部４０８、眼圧算出部４０９、比較判定部４１０、設定変更部４１１を備える。
【００２６】
処理動作制御部４０１は、後述するフォローチャートの処理を統制する。発光制御部４０２は、図３の発光部１２５の発光動作に係る制御を行う。圧平信号検出部４０３は、受光部１２７の出力となる図５に示す圧平信号を検出する。圧平信号検出部４０３は、Ａ／Ｄコンバータを備え、検出した圧平信号をデジタル変換に変化する。
【００２７】
ポンプ室内圧力検出部４０４は、圧力センサ１３１の出力を受け、ポンプ室１０１の内部の圧力を検出する。チャンバー室内圧力検出部４０５は、圧力センサ１３２の出力を受け、チャンバー室１２０の内部の圧力を検出する。圧力センサ１３２の出力波形が図５の圧力信号の波形となる。ポンプ室内圧力検出部４０４およびチャンバー室内圧力検出部４０５は、Ａ／Ｄコンバータを備え、検出した圧力センサの出力をデジタル変換に変化する。
【００２８】
可変バルブ制御部４０６は、モータ１１３の回転を制御するための駆動信号を出力する。ポンプ制御部４０７は、マイクロエアーポンプ１０２の動作を制御する。記憶部４０８は、制御系４００の動作に必要なデータ、動作プログラム、被検眼の眼圧計測データ等の制御系４００での処理によって得られたデータを記憶する。例えば、記憶部４０８には、後述するポンプ室１０１の設定圧力、可変バルブ装置１１０の動作条件の設定内容、リファレンス圧力信号波形、各種判定条件のデータ等が記憶される。
【００２９】
眼圧算出部４０９は、時刻ｔgにおける圧力信号の値（チャンバー室１２０の圧力の値）を検出眼圧値として検出する（図５参照）。時刻ｔgは、圧平信号の重心の位置の時刻、この場合は、圧平信号のピークの時刻を採用する。
【００３０】
図４の比較判定部４１０は、予め取得しておいた初期設定状態における圧力信号の波形（圧力センサ１３２の出力波形）（以下、リファレンス圧力信号波形）と動作時に測定した圧力信号波形（圧力センサ１３２の出力波形）との比較を行う。
【００３１】
図４の設定変更部４１１は、比較判定部４１０で行われる判定の結果を受け、ポンプ室１０１の設定圧力や可変バルブ装置１１０の動作条件の設定の変更を行う。
【００３２】
（基本動作）
可変バルブ装置１１０を閉鎖した状態で、マイクロエアーポンプ１０２を作動させ、ポンプ室１０１内の圧力を上昇させる。ポンプ室１０１内の圧力が規定の圧力となったら、可変バルブ装置１１０を開とし、流路１０３を介してチャンバー室１２０にポンプ室１０１内の高圧空気を送る。この結果、圧力が上昇したチャンバー室１２０からノズル１２１を介して、空気流が流れ出す。
【００３３】
このノズル１２１から吹き出す気流を被検眼に当てる。この過程において、光学系１２３から測定光を光学フィルタ１２２および光透過部材１２４を介して被検眼に照射し、その反射光を検出する。
【００３４】
ノズル１２１から吹き出す気流が被検眼に当たると、被検眼の眼球が気流の圧力で変形する。やや誇張して説明すると、被検眼の露出面は、最初凸型曲面であるが、空気圧を受けると平に変形し平坦になり、最終的には窪んだ凹型形状となる。この過程において、測定光の反射光の光量は、最初少なく、被検眼の露出面が平坦になった段階で最大となり、その後再び少なくなる。
【００３５】
図５には、ｔ＝０で可変バルブ装置１１０を開とした場合における光学系１２３の受光部１２７の出力（圧平信号）とチャンバー室１２０内部の圧力との関係の一例が示されている。
【００３６】
図５に示すように、チャンバー室１２０内の圧力が最大になる前に圧平信号にピークが生じる。圧平信号は、その重心点の時刻におけるチャンバー室１２０内の圧力を被検眼の検出眼圧値として取得する。具体的には、予め模型眼（標準眼球を模した模型）を用いて上記の方法によって得られる眼圧測定値と実際の眼圧が一致するように、図５の圧力信号の波形（チャンバー室１２０内の圧力の変化を示す波形）を設定し、この設定値を用いて実際の測定を行う。したがって、測定値の信頼性を確保する上で、測定に当たってのチャンバー室１２０内の圧力変化の再現性が重要となる。
【００３７】
図５に例示する圧力信号の波形（チャンバー室１２０内の圧力の変化を示す波形）は、ポンプ室１０１の到達圧力および可変バルブ装置１１０のバルブ開速度の影響を主に受ける。
【００３８】
ところで、マイクロエアーポンプ１０２の特性の変化、気密性を維持するパッキンの劣化、回転弁１１２の駆動系の摩耗、モータ１１３を駆動する駆動回路の回路定数の変化（例えば、電子部品の劣化等によって生じる抵抗の抵抗値の変化やコンデンサの容量の変化）等が、図５に例示する圧力信号の波形に影響する。よって、圧力信号の波形の再現性を確保する上での工夫が必要となる。以下、この工夫について以下説明する。
【００３９】
（処理の一例）
以下、圧力信号の波形の再現性を高め、測定値の信頼性の低下を抑える処理の例について説明する。以下の処理を実行するための動作プログラムは、記憶部４０８に記憶され、処理動作制御部４０１によって実行される。この動作プログラムは、適当な記憶媒体に記憶され、そこから提供される形態も可能である。
【００４０】
（処理例１）
図６には、処理例１のフローチャートが示されている。前提として、眼科装置１００におけるマイクロエアーポンプ１０２の駆動条件、ポンプ室１０１の圧力の設定値、可変バルブ装置１１０の開放速度の設定は、模型眼を用いて予め校正された値（初期設定値）に設定されている。すなわち、圧平信号に基づく検出眼圧値の検出が精度よく行われるように各種パラメータの設定が予め模型眼を用いて行われている。これは、他の処理の例においても同様である。以下、初期設定値における圧力信号波形をリファレンス圧力信号波形と呼ぶ。
【００４１】
以下の処理は校正処理であり、この例では被検眼の眼圧の測定は行わない。この例では、まず電源がＯＮにされると処理が開始され（ステップＳ１０１）、マイクロエアーポンプ１０２の駆動が開始される（ステップＳ１０２）。そして、ポンプ室１０１の圧力が設定値となったら、ステップＳ１０３からステップＳ１０４へと進み、可変バルブ装置１１０を予め定めた開放速度で開放する。なお、可変バルブ装置１１０の開放と同時にマイクロエアーポンプ１０２の動作は停止させる。
【００４２】
可変バルブ装置１１０を開放すると、チャンバー室１２０の圧力が高まり、ノズル１２１から空気が噴出する。この際、可変バルブ装置１１０を開放した以後におけるチャンバー室１２０の圧力変化が圧力センサ１３２で測定され、その出力である圧力信号（図６参照）がチャンバー室内圧力検出部４０５で検出される。
【００４３】
可変バルブ装置１１０を開放したら、上記圧力信号の波形と予め取得しておいたリファレンス圧力信号波形とを比較し、その差が規定の範囲以下であるか否か、の判定が行われる（ステップＳ１０５）。
【００４４】
ここでは、実際の動作時における圧力信号の波形とリファレンス圧力信号波形における波形の立ち上がりの傾き、可変バルブ装置１１０を開としたタイミングから波高値がピークとなるまでの経過時間、当該波高値のピークの値を比較する。そして、比較した３つのパラメータの１以上が規定の範囲（リファレンス波形の値からのずれが規定の範囲）を超えて相違する場合、ステップＳ１０５の判定がＮＯとなる。波形の傾きの評価の方法としては、波形の立ち上がりからピークまでの間の接線の傾きの最大値や波形の立ち上がりとピークの間の中点の位置における接線の傾きを評価する方法が挙げられる。なお、これらパラメータの１つまたは２つを比較する形態も可能である。また、波形の面積を計算し、それを比較の対象とすることもできる。
【００４５】
予め取得しておいたリファレンス圧力信号波形と、測定した圧力信号波形との差が規定の範囲以下である場合、ステップＳ１０５からステップＳ１０６に進む。この場合、この時点における設定値を記憶し、処理を終了する。
【００４６】
圧力信号の波形とリファレンス圧力信号波形との差が規定の範囲を超えている場合、ステップＳ１０５からステップＳ１０７に進み、ポンプ室１０１の圧力の設定値を修正する。例えば、測定した圧力信号の波形のピークの値がリファレンス圧力信号波形のピークの値よりも小さい場合、ステップＳ１０３で判定するポンプ室１０１の圧力の設定値をより高い値に変更する。また例えば、測定した圧力信号の波形の立ち上がりの傾きがリファレンス圧力信号波形のものより小さい場合、ステップＳ１０３で判定するポンプ室１０１の圧力の設定値をより高い値に変更する。また例えば、測定した圧力信号の波形のピークの時間軸上における位置がリファレンス圧力信号波形のものより後ろの位置にある場合、ステップＳ１０３で判定するポンプ室１０１の圧力の設定値をより高い値に変更する。
【００４７】
また逆に、測定した圧力信号の波形のピークがリファレンス圧力信号波形のピークより大きい場合、ステップＳ１０３で判定するポンプ室１０１の圧力の設定値をより低い値に変更する。また例えば、測定した圧力信号の波形の立ち上がりの傾きがリファレンス圧力信号波形のものより大きい場合、ステップＳ１０３で判定するポンプ室１０１の圧力の設定値をより小さい値に変更する。また例えば、測定した圧力信号の波形のピークの時間軸上における位置がリファレンス圧力信号波形のものより前にある場合、ステップＳ１０３で判定するポンプ室１０１の圧力の設定値をより低い値に変更する。
【００４８】
ステップＳ１０７を実行した場合、再度ステップＳ１０２以下の処理を行う。ステップＳ１０２以下の処理を複数回行うことで、圧力信号波形のリファレンスとの差を規定の範囲内に納めることができ、初期の性能を維持することができる。
【００４９】
なお、図６の処理を、模型眼を対象に行うことも可能である。この場合、ステップＳ１０４の実行開始以前に光学系１２３から測定光の模型眼への照射を開始し、弁開放以後に圧平信号を得る。そして、ステップＳ１０５において、圧平信号の波形の対称性についての判定を行い、対称性の崩れが規定の範囲内であるか否かの判定を行う。
【００５０】
眼科装置１００は、圧平信号のピークの位置の時刻を用いて眼圧の算出を行う。したがって、時間軸上で捉えた圧平信号の対称性が悪くなると、算出される眼圧の誤差が増大する。この点で、圧平信号の対称性を評価し、この対称性の悪さが予め定めた範囲を超えるか否かを判定し、初期設定値を修正することで、圧平信号に基づき算出される眼圧の誤差の発生を抑えることができる。
【００５１】
波形の対称性の評価の方法としては、時間軸上におけるピークの点を中心とした前後の対称な点における傾き（接線の傾き）の差が規定の範囲以下の場合を対称性が良と判定する方法が挙げられる。また波形の対称性を評価する方法として、時間軸上におけるピークの点を中心とした前後の波形の面積を比較し、その差が規定の範囲以下である場合に対称性が良と判定する方法が挙げられる。
【００５２】
例えば、圧平信号の波形の対称性を評価した場合に、波形のピークが時間軸上の前の期間に偏っている場合（波形の立ち上がりが速過ぎる場合）、ポンプ室１０１の到達圧力を低めの設定値に修正する処理を行う。逆に、圧平信号の波形のピークが時間軸上の後ろの期間に偏っている場合（波形の立ち上がりが遅れ気味の場合）、ポンプ室１０１の到達圧力を高めの設定値に修正する処理を行う。
【００５３】
圧力信号と圧平信号の両方の評価に基づき、ポンプ室１０１の到達圧力の設定値の調整を行うこともできる。
【００５４】
処理例１によれば、経時変化に伴う眼圧測定値の精度の低下を抑えることができる。また処理例１は、実際の眼圧測定の前に簡便に行える優位性がある。
【００５５】
（処理例２）
図７に処理例２のフローチャートを示す。この例では、ポンプ室１０１の圧力の設定値の変更に加えて、可変バルブ装置１１０の動作条件の変更（ステップＳ１０８）も行う。例えば、可変バルブ装置１１０の動作条件としては、バルブの開速度が挙げられる。
【００５６】
例えば、測定した圧力信号の波形のピークの時間軸上における位置がリファレンス圧力信号波形の時間軸上におけるピークの位置よりも前にある場合、可変バルブの装置１１０の開速度をより遅い値に修正する。また例えば、測定した圧力信号の波形の立ち上がりの傾きが予め規定した値より小さい場合、可変バルブの装置１１０の開速度をより速い値に修正する。
【００５７】
また例えば、圧平信号の波形の対称性を評価した場合に、波形のピークが時間軸上の前の期間に偏っている場合（波形の立ち上がりが速過ぎる場合）、可変バルブ装置１１０の開速度をより遅い値に修正する。逆に、圧平信号の波形のピークが時間軸上の後ろの期間に偏っている場合（波形の立ち上がりが遅れ気味の場合）、可変バルブ装置１１０の開速度をより速い値に修正する。
【００５８】
また、以下のような態様も可能である。この場合、圧力信号の波形のピークの時間軸上の位置の修正は、可変バルブ装置１１０の設定変更で対応し、圧力信号の波形のピーク値の修正は、可変バルブ装置１１０の設定変更で対応する。
【００５９】
例えば、圧力信号の波形のピークの時間軸上の位置がリファレンス圧力信号波形よりも遅い時点にずれており、他方で圧力信号の波形のピークの値がリファレンス圧力信号波形よりも低い値であるとする。この場合、圧力信号の波形のピークの時間軸上の位置を前にずらすために、可変バルブ装置１１０の開速度をより速い値に変更する。すなわち、可変バルブ装置１１０の開速度を速くすることで、チャンバー室１２０の圧力を速く上昇させ、より早く圧力信号の波形のピークが生じるようにする。
【００６０】
また、圧力信号の波形のピークの値を大きくするために、ポンプ室１０１の圧力を設定値より高い値に変更する。すなわち、ポンプ室１０１の設定圧力を高くすることで、チャンバー室１２０に流れ込む空気の総量を多くし、チャンバー室１２０の圧力のピークがより大きくなるようにする。
【００６１】
以上のようにすることで、圧力信号の波形のピークをより早い時点に移動させ、また圧力信号の波形のピーク値を高くし、リファレンス圧力信号波形からのずれを効果的に是正できる。なお、可変バルブ装置１１０の設定変更だけで圧力信号の波形のリファレンス圧力信号波形からのずれに対応する形態も可能である。
【００６２】
（処理例３）
図８に処理例３のフローチャートを示す。この例では、実際に被検眼の眼圧測定を行いつつ、リアルタイムで設定値の修正を行う。まず処理の開始に先立ち、被検眼に対して眼科装置１００をセットし、眼科装置１００による眼圧の測定を行う状態とする。この状態で、電源がＯＮにされると処理が開始され（ステップＳ２０１）、マイクロエアーポンプ１０２の駆動を開始する（ステップＳ２０２）。そして、ポンプ室１０１の圧力が設定値となったら、ステップＳ２０３からステップＳ２０４へと進み、可変バルブ装置１１０を予め定めた開放速度で開放する。なお、可変バルブ装置１１０の開放と同時にマイクロエアーポンプ１０２の動作は停止する。
【００６３】
可変バルブ装置１１０を開放すると、チャンバー室１２０の圧力が高まり、ノズル１２１から被検眼に向けて空気が噴出する。そして、可変バルブ装置１１０を開放した以後におけるチャンバー室１２０の圧力変化を示す波形（圧力信号の波形）と予め定めておいたリファレンス圧力信号波形とを比較し、その差が規定の範囲以下であるか否か、の判定が行われる（ステップＳ２０５）。また、圧平信号を検出し、その波形の対称性の崩れが規定の範囲以下であるか否かが判定される（ステップＳ２０５）。圧力信号の波形および圧平信号の波形の判定に関しては、図６の場合と同じである。
【００６４】
圧力信号波形とリファレンス圧力信号波形との差および圧平信号の対称性の崩れが規定の範囲に収まっている場合、ステップＳ２０４以後に得られた圧平信号に基づき眼圧の測定値を算出する（ステップＳ２０６）。圧力信号波形とリファレンス圧力信号波形との差および圧平信号の対称性の崩れの少なくとも一方が規定の範囲に収まっていない場合、ポンプ室１０１の圧力の設定値の変更を行う（ステップＳ２０７）。
【００６５】
例えば、圧力信号の立ち上がりの傾きが規定値より小さい場合、圧力信号の立ち上がりを早くするために、ポンプ室１０１の圧力の設定値をより高い値に変更する。また例えば、圧平信号の立ち上がりが鈍い場合（立ち上がりの傾きが規定の範囲より小さい場合）もポンプ室１０１の圧力の設定値をより高い値に変更する。
【００６６】
そして、ステップＳ２０７の後、ステップＳ２０２以下の処理を繰り返す。この場合、再度の眼圧測定が行われる。なお、再度の眼圧測定の開始タイミングを手動でコントロールしてもよい。こうすることで、被験者の負担を軽減できる。
【００６７】
（処理例４）
図９に処理例４のフローチャートを示す。この例では、図８の処理において、ポンプ室１０１の到達圧力の設定変更に加えて、可変バルブ装置１１０の動作条件の変更も行う（ステップＳ２０８）。設定条件の変更に関する処理の内容は、処理例２の場合と同じである。
【００６８】
（処理例５）
ノズルからの噴射を繰り返し行う場合、マイクロエアーポンプ１２０の駆動電流の値を高め、ポンプ室１０１が規定の圧力になるまでの時間を短縮する。この場合、マイクロエアーポンプの負荷と消費電力が増大するが、繰り返し行われる測定に要する時間が短縮される。例えば、ある時間間隔での再度のエアの噴射を行う場合、当該時間間隔で所定の圧力値にポンプ室１０１の圧力がなるように、マイクロエアーポンプ１２０の駆動電流の値を決定する。
【符号の説明】
【００６９】
１００…眼科装置、１０１…ポンプ室、１０２…マイクロエアーポンプ、１０３…流路、１０３、１１０…可変バルブ装置、１１１…固定弁、１１１ａ…開口、１１２…回転弁、１１２ａ…開口、１１３…モータ、１１４…ピ二オンギア、１１５…ギア、１１６…シャフト、１２０…チャンバー室、１２１…ノズル、１２２…光学フィルタ、１２３…圧平信号を検出するための光学系、１２４…光透過部材。
【図１】
2018143532.tif 000003
【図２】
2018143532.tif 000004
【図３】
2018143532.tif 000005
【図４】
2018143532.tif 000006
【図５】
2018143532.tif 000007
【図６】
2018143532.tif 000008
【図７】
2018143532.tif 000009
【図８】
2018143532.tif 000010
【図９】
2018143532.tif 000011